(57)【要約】【課題】  フィット性を保ちつつポリマーの漏れを防止することができる吸収性物品を提供する。【解決手段】  吸収パッド１の上層シート２と下層シート３は、前後端２１、３１と吸収体４の前後端４４との間はヒートシール８で接着されており、ヒートシール８による接着領域８１が形成されている。さらに、この接着領域８１の左右端８１１、８１１とクレープ紙５の前後端部５１の左右側縁５１１、５１１とをつなぐ領域９１はホットメルト接着剤９で接着されて形成されている。【選択図】    図１
2005095306.tif 000002
【特許請求の範囲】
【請求項１】
上層シートと、下層シートと、両シートの間に介在して少なくともポリマーからなる吸収体と、この吸収体の側面を覆う被覆材とを備えた吸収性物品において、前記上層シートと前記下層シートは、前後端と前記吸収体の前後端との間がヒートシールで接着されているとともに、このヒートシールによる接着領域と前記被覆材の前後端部の左右側縁とをつなぐ領域が接着剤で接着されて形成されたことを特徴とする吸収性物品。
【請求項２】
前記上層シートと前記下層シートは、前記ヒートシールによる接着領域の左右端と前記被覆材の前記前後端部の左右側縁とをつなぐ領域が接着剤で接着されて形成されたことを特徴とする請求項１記載の吸収性物品。
【請求項３】
前記上層シートと前記下層シートは、前後端と前記吸収体の前後端との間で前後方向に隙間をあけてヒートシールで接着されているとともに、この隙間に入り込んでこのヒートシールによる接着領域と前記被覆材の前記前後端部の左右側縁とをつなぐ領域が接着剤で接着されて形成されたことを特徴とする請求項１または２記載の吸収性物品。
【発明の詳細な説明】
【技術分野】
【０００１】
本発明は、紙おむつや吸収パッド等の吸収性物品に関する。
【背景技術】
【０００２】
従来、身体に着用して尿等の体液を吸収する吸収性物品は、例えば図３に示す吸収パッド１０１のように、着用側（上側）の上層シート１０２と、非着用側（下側）の下層シート１０３と、両シート１０２、１０３の間に介在する吸収体１０４と、吸収体１０４の側面１４１を覆う被覆材１０５とを備えている。
【０００３】
上層シート１０２はトップシートと、トップシートの下側に配置されたセカンドシートを有しており、下層シートは複数枚のシートが重ね合わされて構成されている。また、吸収体１０４としてはポリマー１０６や、ポリマー１０６およびパルプ１０７が使用されており、被覆材１０５としてはクレープ紙または不織布が使用されている。
【発明の開示】
【発明が解決しようとする課題】
【０００４】
しかしながら、このような吸収パッド１０１においては、尿吸収用にポリマーを増量した場合に製造時にポリマー１０６が漏れてしまい、また使用時にはポリマー１０６が体液を吸収して膨潤することにより漏れてしまう。
【０００５】
これを解決するために、例えば上層シート１０２と下層シート１０３をヒートシールで接着する方法が知られているが、ヒートシールの接着領域が広すぎて製品端まで接着した場合には身体にフィットしにくくなるとともに、装着時に製品端が固いことにより違和感を感じやすくなる。
【０００６】
またこの吸収パッド１０１のようにギャザー１１０を有する場合には、ヒートシールした後、製品をカットする際に糸ゴム１１１をカットすることで容易にギャザー１１０を形成させることができるが、この場合、糸ゴム１１１の引き込みをさけるために糸ゴム１１１の部分をさけてヒートシールしなければならない。したがって、ヒートシールで接着する部分が限られてしまうため、ポリマー１０６の漏れを防止することができなかった。
【０００７】
本発明は、かかる従来の課題に鑑みてなされたものであり、フィット性を保ちつつポリマーの漏れを防止することができる吸収性物品を提供することを目的とする。
【課題を解決するための手段】
【０００８】
前記課題を解決するために本発明の請求項１記載の吸収性物品においては、上層シートと、下層シートと、両シートの間に介在して少なくともポリマーからなる吸収体と、この吸収体の側面を覆う被覆材とを備えた吸収性物品において、前記上層シートと前記下層シートは、前後端と前記吸収体の前後端との間がヒートシールで接着されているとともに、このヒートシールによる接着領域と前記被覆材の前後端部の左右側縁とをつなぐ領域が接着剤で接着されて形成されたものとしている。
【０００９】
かかる構成において、上層シートと下層シートを接着するヒートシールの接着領域が限られていても接着剤を使用することにより、吸収体の前後端を両シートの接着領域で囲むことが可能になるため、ポリマーを増量しても製造時や使用時にポリマーの漏れを接着領域で止めることができる。さらに、接着剤を使用することでヒートシールの接着領域を広げずにポリマーの漏れを止めることができる。
【００１０】
また請求項２記載の吸収性物品においては、前記上層シートと前記下層シートは、前記ヒートシールによる接着領域の左右端と前記被覆材の前記前後端部の左右側縁とをつなぐ領域が接着剤で接着されて形成されたものとしている。
【００１１】
かかる構成においては、ヒートシールによる接着領域と被覆材とをつなぐ領域は結合位置が左右側で同じ側となるため、接着作業を容易に行うことができる。
【００１２】
また請求項３記載の吸収性物品においては、前記上層シートと前記下層シートは、前後端と前記吸収体の前後端との間で前後方向に隙間をあけてヒートシールで接着されているとともに、この隙間に入り込んでこのヒートシールによる接着領域と前記被覆材の前記前後端部の左右側縁とをつなぐ領域が接着剤で接着されて形成されたものとしている。
【００１３】
かかる構成においては、吸収体の前後端を囲む上層シートと下層シートの接着領域をヒートシールによる接着領域を抑えながら広げることができる。
【発明の効果】
【００１４】
本発明の請求項１記載の吸収性物品においては、上層シートと下層シートを接着するヒートシールの接着領域が限られていても接着剤を使用することにより、吸収体の前後端を両シートの接着領域で囲むことが可能になるため、ポリマーを増量しても製造時や使用時にポリマーの漏れを接着領域で止めることができる。よって、ポリマーの漏れを防止することができる。また、接着剤を使用することでヒートシールの接着領域を広げずにポリマーの漏れを止めることができる。よって、フィット性を保つことができる。さらに、吸収性物品の前後端と吸収体の前後端との間がヒートシールで接着されることで吸収体の形状を保持するとともに吸収性物品の前後端部に段差が生じることからフィット性をさらに高めることができる。
【００１５】
また請求項２記載の吸収性物品においては、ヒートシールによる接着領域と被覆材とをつなぐ領域は結合位置が左右側で同じ側となるため、接着作業を容易に行うことができる。よって、吸収性物品の製造効率を向上させることができる。
【００１６】
また請求項３記載の吸収性物品においては、吸収体の前後端を囲む上層シートと下層シートの接着領域をヒートシールによる接着領域を抑えながら広げることができる。よって、フィット性を保ちつつポリマーの漏れ防止性能を向上させることができる。
【発明を実施するための最良の形態】
【００１７】
本発明をより詳細に説明するために、以下添付図面に従ってこれを説明する。
【００１８】
図１は本発明の第一の実施の形態を示す吸収パッド１の平面図であり、図２は図１のＡ−Ａ線における吸収パッド１の分解縦断面図である。この吸収パッド１は、着用側（上側）である上層シート２と、非着用側（下側）である下層シート３と、上層シート２と下層シート３との間に介在する吸収体４とを中心にして構成されている。
【００１９】
この吸収体４は前後に長く形成されており、着用者の体液を吸収するパルプ４１とポリマー４２から構成されている。なお吸収体４はポリマー４２のみから構成しても良い。またこの吸収体４の側面４３には被覆材が覆われており、被覆材としては本実施の形態のようにクレープ紙５や、その他に不職布が使用される。
【００２０】
また上層シート２は、吸収体４よりも広く前後に長く形成されて前後端２１、２１が湾曲しており、トップシート２ａとトップシート２ａの下側に配置されたセカンドシート２ｂとを有している。トップシート２ｂとセカンドシート２ｂは不織布から成り、着用者の体液を通過させる透液性を有している。
【００２１】
またトップシート２ａにおいて左右側部２２、２２には、着用者の身体への接触面２３にそれぞれギャザー７が設けられている。このギャザー７は前後に長く形成されており、トップシート２ａと接着されている。またこのギャザー７内には左右に糸ゴム７１、７１が前後方向Ｘに伸縮可能に設けられており、この糸ゴム７１、７１が縮んでいることによりギャザー７には皺７２が前後方向Ｘに延在して形成されている。
【００２２】
一方下層シート３も前後に長く形成されており、上層シート２と前後方向Ｘの長さが同じで、かつ上層シート２よりも左右方向Ｙの長さが長く、前後端３１、３１が上層シート２の前後端２１、２１に合わせて湾曲して形成されている。またこの下層シート３は複数枚のシートが重ね合わされて構成されており、ポリエチレン等の着用者の体液を通過させない不透液性フィルムや、不透液性フィルムと不織布あるいは織布を貼り合わせた透液性の素材や、通気性また非通気性の素材が使用されている。
【００２３】
そして、上層シート２と下層シート３は吸収体４が介在した状態で前端部２４と後端部３２が接着されている。具体的には、上層シート２と下層シート３の前後端２１、３１と吸収体４の前後端４４との間において、前後方向Ｘに隙間Ｓをあけて周縁部２５、３３がヒートシール８で接着されており、これによりヒートシール８による第一接着領域８１が形成されている。
【００２４】
さらに、第一接着領域８１の左右端８１１、８１１とクレープ紙５の前後端部５１の左右側縁５１１、５１１とをつなぐ領域９１は、この領域９１を構成している上層シート２の左右端部２６、２６と、これに対向する下層シート３の対向部３４、３４がホットメルト接着剤９で接着されて形成されており、これにより前記領域９１は第二接着領域を構成している。
【００２５】
さらに、第二接着領域９１の外側に隣接する領域９２は、この領域９２を構成しているギャザー７の前後端部７４、７４と下層シート３の前後端部３２、３２とがホットメルト接着剤９で接着されて形成されており、前記領域９２は第三接着領域を構成している。
【００２６】
かかる構成においては、ギャザー７のある領域によって上層シート２と下層シート３を接着するヒートシール８による接着領域８１が限られていても、ホットメルト接着剤９を使用することにより吸収体４の前後端４４、４４を両シート２、３の接着領域８１、９１で囲むことができる。このためポリマー４２を増量しても、製造時や使用時に接着領域８１、９１でポリマーの漏れを止めることができる。よって、本実施の形態の吸収パッド１においてはポリマー２４の漏れを防止することができる。また第二接着領域９１の外側には第三接着領域９２が隣接しているため、ポリマー４２の漏れ防止性能をさらに高めることができる。
【００２７】
またこの結果、吸収パッド１の製造時においてライン上で漏れたポリマー４２を取り除く作業がなくなるので作業性が向上するとともに、所定量のポリマー４２４を収容することが可能となるため製品の品質低下を防ぐことができる。また吸収パッド１の使用時においては着用者の体液によって膨潤したポリマー４２によって着用者の身体が汚れてしまうのを防ぐことができる。
【００２８】
また、この吸収パッド１では、ホットメルト接着剤９を使用することにより、ヒートシール８の接着領域を広げずにポリマー４２の漏れを止めることができる。よって、フィット性を保つことができる。そして、吸収パッドの前後端２１、３１と吸収体４の前後端４４、４４との間がヒートシール９で接着されることで吸収体４の形状を保持するとともに、吸収パッド１の前後端部１１、１２に段差が生じることからフィット性をさらに高めることができる。
【００２９】
また、ヒートシール８による第一接着領域８１の左右端８１１、８１１とクレープ紙５の前後端部５１の左右側縁５１１、５１１とをつなぐ領域９１は結合位置が左右側で同じであるため、この領域を接着するホットメルトの接着作業を容易に行うことができる。よって、吸収パッド１の製造効率を向上させることができる。
【００３０】
なお本実施の形態においては、接着剤としてホットメルト接着剤９を使用したがこの接着剤９に限定する必要はなく、接着領域の柔軟性を保つような接着剤を使用すればフィット性を保つことができる。
【００３１】
また第二の実施の形態として図３に示す吸収パッド２００のように、隙間Ｓ、Ｓに入り込んでヒートシール８による接着領域８１とクレープ紙５の前後端部５１の左右側縁５１１、５１１とをつなぐ領域１００をホットメルト接着剤９で接着して形成しても良い。なお、第一の実施の形態の吸収パッド１と同じ箇所には同じ符号を付してある。これにより、吸収体４の前後端４４、４４を囲む上層シート２と下層シート３の接着領域８１、１００をヒートシール８による接着領域８１を抑えながら広げることができる。よって、フィット性を保ちつつポリマーの漏れ防止性能を向上させることができる。
【図面の簡単な説明】
【００３２】
【図１】本発明の第一の実施の形態を示す吸収パッドの平面図である。
【図２】図１のＡ−Ａ線における吸収パッドの分解縦断面図である。
【図３】本発明の第二の実施の形態を示す吸収パッドの平面図である。
【図４】従来の吸収パッドの要部の分解縦断面図である。
【符号の説明】
【００３３】
１    吸収パッド
２    上層シート
３    下層シート
４    吸収体
８    ヒートシール
９    ホットメルト接着剤
２１、２１    前後端
３１、３１    前後端
４２    ポリマー
４３    側面
４４、４４    前後端
５１、５１    左右側縁
８１    第一接着領域
９１    第二接着領域
９２    第三接着領域
２００    吸収パッド
２０１    接着領域
８１１、８１１    左右側縁
Ｓ      隙間
Ｘ      前後方向
【図１】
2005095306.tif 000003
【図２】
2005095306.tif 000004
【図３】
2005095306.tif 000005
【図４】
2005095306.tif 000006